(57)【要約】  変倍時に収差の変動が少なく、十分な周辺光量が得られる対物レンズを提供すること。  対物レンズ（ＯＬ）は、最も物体側のレンズが負のパワーを持つ第１レンズ群（Ｇ１）と、前記第１レンズ群（Ｇ１）よりも像側に配置されていて通常観察状態から近接観察状態への変倍時に光軸に沿って移動する第２レンズ群（Ｇ２）と、前記第２レンズ群（Ｇ２）よりも像側に配置されている第３レンズ群（Ｇ３）と、前記第２レンズ群（Ｇ２）と像面との間に配置されていて前記変倍時に固定の明るさ絞り（Ｓ）と、を備える。
2014088104.tif 000002
【特許請求の範囲】
【請求項１】
最も物体側のレンズが負のパワーを持ち通常観察状態から近接観察状態への変倍時に固定の第１レンズ群と、
前記第１レンズ群よりも像側に配置されていて前記変倍時に光軸に沿って移動する第２レンズ群と、
前記第２レンズ群よりも像側に配置されていて前記変倍時に固定の第３レンズ群と、
前記第２レンズ群と像面との間に配置されていて前記変倍時に固定の明るさ絞りと、
を備えていることを特徴とする対物レンズ。
【請求項２】
以下の条件式を満足することを特徴とする請求項１に記載の対物レンズ。
１．２４＜｜Ｆ1f／Ｆn｜＜１．８
ただし、Ｆ1fは前記第１レンズ群の最も物体側に配置されたレンズの焦点距離、Ｆnは前記通常観察状態での全系の焦点距離である。
【請求項３】
以下の条件式を満足することを特徴とする請求項１又は２に記載の対物レンズ。
０．８＜｜Ｆ1f／Ｆc｜＜１．７
ただし、Ｆ1fは前記第１レンズ群の最も物体側に配置されたレンズの焦点距離、Ｆcは前記近接観察状態での全系の焦点距離である。
【請求項４】
以下の条件式を満足することを特徴とする請求項１〜３のいずれか１項に記載の対物レンズ。
０．７＜｜θc／θn｜＜１．５
ただし、θcは前記近接観察状態での前記像面への主光線の入射角度、θnは前記通常観察状態での前記像面への主光線の入射角度である。
【請求項５】
以下の条件式を満足することを特徴とする請求項１〜４のいずれか１項に記載の対物レンズ。
ωnP／ωnMax＜０．８
ただし、ωnPは前記通常観察状態での近軸画角であり、ωnMaxは前記通常観察状態での最大画角である。
なお、前記通常観察状態の近軸画角は、
Ｉn＝Ｆn×ｔａｎ（ωnP）
であらわされる値であり、Ｉnは前記通常観察状態での最大像面の高さ、Ｆnは前記通常観察状態での焦点距離である。
【請求項６】
以下の条件式を満足することを特徴とする請求項１〜５のいずれか１項に記載の対物レンズ。
−４＜（ｒ3lf＋ｒ3lb）／（ｒ3lf−ｒ3lb）＜２
−３．５＜（ｒ3lf＋ｒ3lb）／（ｒ3lf−ｒ3lb）＜１
−２．７＜（ｒ3lf＋ｒ3lb）／（ｒ3lf−ｒ3lb）＜０．６
ただし、ｒ3lfは前記第３レンズ群の最も像側に配置されたレンズの物体側の面の曲率半径、ｒ3lb、前記第３レンズ群の最も像側に配置されたレンズの像側の面の曲率半径である。
【請求項７】
以下の条件式を満足することを特徴とする請求項１〜６のいずれか１項に記載の対物レンズ。
｜ΔＤＴn｜＜８
ただし、ΔＤＴは前記第２レンズ群が微小変動した時の歪曲収差の変動量である。
なお、微小変動とは像面を（Ｆナンバー×０．００５）ｍｍ変動させるために必要な前記第２レンズ群の光軸に沿った変動である。
【請求項８】
以下の条件式を満足することを特徴とする請求項１〜７のいずれか１項に記載の対物レンズ。
０．１５＜｜(１‐βc2・βc2)×βc3・βc3｜＜１．５
０．２＜｜(１‐βc2・βc2)×βc3・βc3｜＜１．４
０．２５＜｜(１‐βc2・βc2)×βc3・βc3｜＜１．３
ただし、βc2は前記近接観察状態での前記第２レンズ群の横倍率、βc3は前記近接観察状態での前記第３レンズ群の横倍率である。
【請求項９】
前記第２レンズ群が、単一のレンズ成分により構成されていることを特徴とする請求項１〜８のいずれか１項に記載の対物レンズ。
【請求項１０】
前記第３レンズ群が、正のパワーを持つことを特徴とする請求項１〜９のいずれか１項に記載の対物レンズ。
【請求項１１】
前記第１レンズ群が、負のパワーを持ち、
前記第２レンズ群が、正のパワーを持つことを特徴とする請求項１〜１０のいずれか１項に記載の対物レンズ。
【請求項１２】
前記第１レンズ群が、負のパワーを持ち、
前記第２レンズ群が、負のパワーを持つことを特徴とする請求項１０に記載の対物レンズ。
【請求項１３】
前記第１レンズ群が、正のパワーを持ち、
前記第２レンズ群が、負のパワーを持つことを特徴とする請求項１０に記載の対物レンズ。
【発明の詳細な説明】
【技術分野】
【０００１】
本発明は、光軸に沿って移動する可動レンズ群を備えた対物レンズ及びそれを備えた観察装置に関する。
【背景技術】
【０００２】
従来、レンズ群を移動させることによって通常観察に適した状態（以下、「通常観察状態」という。）から近接観察に適した状態（以下、「近接観察状態」という。）へ観察状態を変更するように可逆的、且つ、連続的に変倍し、観察領域内に複数存在する被写体の中から観察者が任意に選択した特定の被写体を詳細に観察することができる対物レンズが知られている。【０００３】
そのような対物レンズとしては、例えば、物体側から順に、正のパワーを持つ第１レンズ群と、負のパワーを持つ第２レンズ群と、正のパワーを持つ第３レンズ群と、からなり、第２レンズ群を光軸に沿って移動させることによって変倍を行うものがある（特許文献１、２参照。）。
【先行技術文献】
【特許文献】
【０００４】
【特許文献１】特開２０１０−３２６８０号公報
【特許文献２】特開平１１−３１６３３９号公報
【発明の概要】
【発明が解決しようとする課題】
【０００５】
しかし、特許文献１、２に記載の対物レンズは、通常観察状態から近接観察状態への変倍時に収差の変動が大きいという問題があった。【０００６】
また、特許文献１、２に記載の対物レンズは、像面へ入射する光束の入射角が大きく、周辺光量が低下してしまうという問題があった。【０００７】
本発明は、このような従来技術の問題点に鑑みてなされたものであり、その目的とするところは、変倍時に収差の変動が少なく、十分な周辺光量が得られる対物レンズ及び観察装置を提供することである。
【課題を解決するための手段】
【０００８】
上記の目的を達成するために、本発明の対物レンズは、最も物体側のレンズが負のパワーを持ち通常観察状態から近接観察状態への変倍時に固定の第１レンズ群と、前記第１レンズ群よりも像側に配置されていて前記変倍時に光軸に沿って移動する第２レンズ群と、前記第２レンズ群よりも像側に配置されていて前記変倍時に固定の第３レンズ群と、前記第２レンズ群と像面との間に配置されていて前記変倍時に固定の明るさ絞りと、を備えていることを特徴とする。【０００９】
また、上記の目的を達成するために、本発明の観察装置は、上記の対物レンズと、前記第２レンズ群を移動させるオートフォーカス機構と、を備え、前記第２レンズ群によりフォーカシングを行うことを特徴とする。
【発明の効果】
【００１０】
本発明によれば、変倍時に収差の変動が少なく、十分な周辺光量が得られる対物レンズ及び観察装置を提供することができる。
【図面の簡単な説明】
【００１１】
【図１】実施例１に係る観察装置が備える光学系の構成及び移動方向を示す光軸に沿う断面図であり、（ａ）は通常観察状態、（ｂ）は中間観察状態、（ｃ）は近接観察状態を示す図である。
【図２】図１に示した光学系の球面収差、非点収差、歪曲収差、倍率色収差を示す収差図であり、（ａ）は通常観察状態、（ｂ）は中間観察状態、（ｃ）は近接観察状態を示す図である。
【図３】実施例２に係る観察装置が備える光学系の構成及び移動方向を示す光軸に沿う断面図であり、（ａ）は通常観察状態、（ｂ）は中間観察状態、（ｃ）は近接観察状態を示す図である。
【図４】図３に示した光学系の球面収差、非点収差、歪曲収差、倍率色収差を示す収差図であり、（ａ）は通常観察状態、（ｂ）は中間観察状態、（ｃ）は近接観察状態を示す図である。
【図５】実施例３に係る観察装置が備える光学系の構成及び移動方向を示す光軸に沿う断面図であり、（ａ）は通常観察状態、（ｂ）は中間観察状態、（ｃ）は近接観察状態を示す図である。
【図６】図５に示した光学系の球面収差、非点収差、歪曲収差、倍率色収差を示す収差図であり、（ａ）は通常観察状態、（ｂ）は中間観察状態、（ｃ）は近接観察状態を示す図である。
【図７】実施例４に係る観察装置が備える光学系の構成及び移動方向を示す光軸に沿う断面図であり、（ａ）は通常観察状態、（ｂ）は中間観察状態、（ｃ）は近接観察状態を示す図である。
【図８】図７に示した光学系の球面収差、非点収差、歪曲収差、倍率色収差を示す収差図であり、（ａ）は通常観察状態、（ｂ）は中間観察状態、（ｃ）は近接観察状態を示す図である。
【図９】実施例５に係る観察装置が備える光学系の構成及び移動方向を示す光軸に沿う断面図であり、（ａ）は通常観察状態、（ｂ）は中間観察状態、（ｃ）は近接観察状態を示す図である。
【図１０】図９に示した光学系の球面収差、非点収差、歪曲収差、倍率色収差を示す収差図であり、（ａ）は通常観察状態、（ｂ）は中間観察状態、（ｃ）は近接観察状態を示す図である。
【図１１】実施例６に係る観察装置が備える光学系の構成及び移動方向を示す光軸に沿う断面図であり、（ａ）は通常観察状態、（ｂ）は中間観察状態、（ｃ）は近接観察状態を示す図である。
【図１２】図１１に示した光学系の球面収差、非点収差、歪曲収差、倍率色収差を示す収差図であり、（ａ）は通常観察状態、（ｂ）は中間観察状態、（ｃ）は近接観察状態を示す図である。
【図１３】実施例７に係る観察装置が備える光学系の構成及び移動方向を示す光軸に沿う断面図であり、（ａ）は通常観察状態、（ｂ）は中間観察状態、（ｃ）は近接観察状態を示す図である。
【図１４】図１３に示した光学系の球面収差、非点収差、歪曲収差、倍率色収差を示す収差図であり、（ａ）は通常観察状態、（ｂ）は中間観察状態、（ｃ）は近接観察状態を示す図である。
【図１５】実施例８に係る観察装置が備える光学系の構成及び移動方向を示す光軸に沿う断面図であり、（ａ）は通常観察状態、（ｂ）は中間観察状態、（ｃ）は近接観察状態を示す図である。
【図１６】図１５に示した光学系の球面収差、非点収差、歪曲収差、倍率色収差を示す収差図であり、（ａ）は通常観察状態、（ｂ）は中間観察状態、（ｃ）は近接観察状態を示す図である。
【図１７】実施例９に係る観察装置が備える光学系の構成及び移動方向を示す光軸に沿う断面図であり、（ａ）は通常観察状態、（ｂ）は中間観察状態、（ｃ）は近接観察状態を示す図である。
【図１８】図１７に示した光学系の球面収差、非点収差、歪曲収差、倍率色収差を示す収差図であり、（ａ）は通常観察状態、（ｂ）は中間観察状態、（ｃ）は近接観察状態を示す図である。
【図１９】実施例１０に係る観察装置が備える光学系の構成及び移動方向を示す光軸に沿う断面図であり、（ａ）は通常観察状態、（ｂ）は中間観察状態、（ｃ）は近接観察状態を示す図である。
【図２０】図１９に示した光学系の球面収差、非点収差、歪曲収差、倍率色収差を示す収差図であり、（ａ）は通常観察状態、（ｂ）は中間観察状態、（ｃ）は近接観察状態を示す図である。
【図２１】実施例１１に係る観察装置が備える光学系の構成及び移動方向を示す光軸に沿う断面図であり、（ａ）は通常観察状態、（ｂ）は中間観察状態、（ｃ）は近接観察状態を示す図である。
【図２２】図２１に示した光学系の球面収差、非点収差、歪曲収差、倍率色収差を示す収差図であり、（ａ）は通常観察状態、（ｂ）は中間観察状態、（ｃ）は近接観察状態を示す図である。
【図２３】実施例１２に係る観察装置が備える光学系の構成及び移動方向を示す光軸に沿う断面図であり、（ａ）は通常観察状態、（ｂ）は中間観察状態、（ｃ）は近接観察状態を示す図である。
【図２４】図２３に示した光学系の球面収差、非点収差、歪曲収差、倍率色収差を示す収差図であり、（ａ）は通常観察状態、（ｂ）は中間観察状態、（ｃ）は近接観察状態を示す図である。
【図２５】実施例１３に係る観察装置が備える光学系の構成及び移動方向を示す光軸に沿う断面図であり、（ａ）は通常観察状態、（ｂ）は中間観察状態、（ｃ）は近接観察状態を示す図である。
【図２６】図２５に示した光学系の球面収差、非点収差、歪曲収差、倍率色収差を示す収差図であり、（ａ）は通常観察状態、（ｂ）は中間観察状態、（ｃ）は近接観察状態を示す図である。
【図２７】本実施例の対物レンズを備えた観察装置である内視鏡装置の全体図である。
【発明を実施するための形態】
【００１２】
実施例の説明に先立ち、本実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１３】
なお、以下において、拡大倍率が一番小さい状態を「通常観察」状態、拡大倍率が一番大きい状態を「近接観察」状態、拡大倍率が通常観察状態と近接観察状態の間の状態を「中間」状態という。
【００１４】
本実施形態の対物レンズは、最も物体側のレンズが負のパワーを持ち通常観察状態から近接観察状態への変倍時に固定の第１レンズ群と、前記第１レンズ群よりも像側に配置されていて前記変倍時に光軸に沿って移動する第２レンズ群と、前記第２レンズ群よりも像側に配置されていて前記変倍時に固定の第３レンズ群と、前記第２レンズ群と像面との間に配置されていて前記変倍時に固定の明るさ絞りと、を備えていることを特徴とする。
【００１５】
本実施形態の対物レンズは、このように第１レンズ群の最も物体側のレンズを負のパワーを持つレンズとしている。
【００１６】
このような構成を備えているため、本実施形態の対物レンズは、画角が広く、被写体に近づいての観察、すなわち、近接観察を行いやすい。また、視野を広くすることができる。
【００１７】
また、本実施形態の対物レンズは、このように、第１レンズ群と第３レンズ群を固定とするとともに、明るさ絞りより物体側であり、且つ、光線高の比較的低い位置に配置されている第２レンズ群を光軸に沿って移動させることによって、通常観察状態から近接観察状態への変倍を行っている。
【００１８】
このような構成を備えているため、本実施形態の対物レンズは、非点収差の変動を小さくすることができる。
【００１９】
さらに、本実施形態の対物レンズは、このように、可動レンズ群である第２レンズ群と像面との間に変倍時に固定の明るさ絞りを備えている。
【００２０】
このような構成を備えているため、可動レンズ群である第２レンズ群が移動しても、第２レンズ群の射出瞳の位置の変動、すなわち、像面へ入射する光束の入射角の変化を抑えることができる。その結果として、撮像素子の最適化が容易であり、この対物レンズを用いた観察装置では、周辺光量の低下も抑えることができる。
【００２１】
また、このような構成を備えているため、近接観察状態での非点収差やコマ収差を抑えることができる。一般的に、本実施形態のようなレンズ構成を備えている光学系は、特に近接観察状態では、第１レンズ群の像側の面における光線高が高い。そして、光線高が高いところでは光線の屈折量が大きくなるため、像面湾曲、非点収差やコマ収差が発生してしまう。本実施形態の対物レンズでは、特徴的な位置に明るさ絞りを配置することにより、光線高が不要に高くなることを抑え、これらの収差の発生を抑えることができる。
【００２２】
また、本実施形態の対物レンズは、以下の条件式（１）を満足することが好ましい。
１．２４＜｜Ｆ1f／Ｆn｜＜１．８                  ・・・（１）
ただし、Ｆ1fは前記第１レンズ群の最も物体側に配置されたレンズの焦点距離、Ｆnは前記通常観察状態での全系の焦点距離である。
【００２３】
この条件式（１）は、対物レンズの最も物体側に配置されるレンズのパワーを規定したものである。この条件式（１）の下限値を下回らないように構成すると、そのレンズの焦点距離を大きくすることができ、諸収差の発生を抑えやすい。また、対物レンズ全系の焦点距離を小さくすることができ、十分な被写界深度を確保しやすい。一方、この条件式（１）の上限値を上回らないように構成すると、そのレンズの光線高を低くする、すなわち、そのレンズの径を小さくすることができ、対物レンズ全体の外径を小さくしやすい。
【００２４】
なお、条件式（１）に代わり、次の条件式（１−１）、（１−２）のいずれかを満足するように構成するとさらに好ましい。
１．２５＜｜Ｆ1f／Ｆn｜＜１．７                  ・・・（１−１）
１．２７＜｜Ｆ1f／Ｆn｜＜１．６                  ・・・（１−２）
また、条件式（１−１）の上限値又は下限値を、条件式（１）、（１−２）の上限値又は下限値としても良いし、条件式（１−２）の上限値又は下限値を、条件式（１）、（１−１）の上限値又は下限値としても良い。
【００２５】
また、本実施形態の対物レンズは、以下の条件式（２）を満足することが好ましい。
０．８＜｜Ｆ1f／Ｆc｜＜１．７                    ・・・（２）
ただし、Ｆ1fは前記第１レンズ群の最も物体側に配置されたレンズの焦点距離、Ｆcは前記近接観察状態での全系の焦点距離である。
【００２６】
この条件式（２）は、対物レンズの最も物体側に配置されるレンズのパワーを規定したものである。この条件式（２）の下限値を下回らないように構成すると、そのレンズの焦点距離を大きくすることができ、諸収差の発生を抑えやすい。また、対物レンズ全系の焦点距離を小さくすることができ、十分な被写界深度を確保しやすい。一方、この条件式（２）の上限値を上回らないように構成すると、そのレンズの光線高を低くする、すなわち、そのレンズの径を小さくすることができ、ひいては、対物レンズ全体の外径を小さくすることができる。
【００２７】
なお、条件式（２）に代わり、次の条件式（２−１）、（２−２）のいずれかを満足するように構成するとさらに好ましい。
０．９＜｜Ｆ1f／Ｆc｜＜１．６                    ・・・（２−１）
０．９５＜｜Ｆ1f／Ｆc｜＜１．５５                ・・・（２−２）
また、条件式（２−１）の上限値又は下限値を、条件式（２）、（２−２）の上限値又は下限値としても良いし、条件式（２−２）の上限値又は下限値を、条件式（２）、（２−１）の上限値又は下限値としても良い。
【００２８】
また、本実施形態の対物レンズは、以下の条件式（３）を満足することが好ましい。
０．７＜｜θc／θn｜＜１．５                      ・・・（３）
ただし、θcは前記近接観察状態での前記像面への主光線の入射角度、θnは前記通常観察状態での前記像面への主光線の入射角度である。
【００２９】
一般に、像面へ光束が斜入射する場合、その像面に受光面を一致させるように配置された撮像素子においては、その受光面で光量損失が生じ、特に、周辺光量が低下してしまう。そこで、通常、対物レンズと撮像素子との間に配置するマイクロレンズやカラーフィルターの構造を工夫することによって、光量損失を抑えるようにしている。しかし、本実施形態の対物レンズのように入射角度が大きく変化する場合、そのような方法による入射角の最適化は容易ではない。そこで、本実施形態の対物レンズにおいては、条件式（３）を満足することが好ましい。
【００３０】
この条件式（３）は、通常観察状態と近接観察状態における像面へ入射する光束の入射角の関係を規定したものである。この条件式（３）を満足するように構成すると、入射角の変動が大きくなりすぎず、撮像素子を配置した場合にあっても入射角の最適化が容易になり、周辺光量の低下を抑えやすい。
【００３１】
なお、条件式（３）に代わり、次の条件式（３−１）、（３−２）のいずれかを満足するように構成するとさらに好ましい。
０．８＜｜θc／θn｜＜１．４                    ・・・（３−１）
０．９＜｜θc／θn｜＜１．２                    ・・・（３−２）
また、条件式（３−１）の上限値又は下限値を、条件式（３）、（３−２）の上限値又は下限値としても良いし、条件式（３−２）の上限値又は下限値を、条件式（３）、（３−１）の上限値又は下限値としても良い。
【００３２】
また、本実施形態の対物レンズは、以下の条件式（４）を満足することが好ましい。
ωnP／ωnMax＜０．８                              ・・・（４）
ただし、ωnPは前記通常観察状態での近軸画角であり、ωnMaxは前記通常観察状態での最大画角である。
なお、前記通常観察状態の近軸画角は、
Ｉn＝Ｆn×ｔａｎ（ωnP）
であらわされる値であり、Ｉnは前記通常観察状態での最大像面の高さ、Ｆnは前記通常観察状態での焦点距離である。
【００３３】
この条件式（４）は、通常観察状態における最大画角と近軸画角の比を規定したものである。この条件式（４）を満足するように構成すると、例えば、観察範囲の中心付近の解像度を上げやすく、また、周辺光量を上げやすくなるため、観察範囲の広い使い勝手の良い光学系にすることができる。
【００３４】
なお、条件式（４）に代わり、次の条件式（４−１）を満足するように構成するとさらに好ましい。
ωnP／ωnMax＜０．７                              ・・・（４−１）
【００３５】
また、本実施形態の対物レンズは、以下の条件式（５）を満足することが好ましい。
−４＜（ｒ3lf＋ｒ3lb）／（ｒ3lf−ｒ3lb）＜２          ・・・（５）
ただし、ｒ3lfは前記第３レンズ群の最も像側に配置されたレンズの物体側の面の曲率半径、ｒ3lb、前記第３レンズ群の最も像側に配置されたレンズの像側の面の曲率半径である。
【００３６】
この条件式（５）は、第３レンズ群の最も像側、すなわち、対物レンズの最も像側に配置されたレンズの形状を規定したものである。この条件式を満足するように構成すると、非点収差や倍率色収差を補正しやすく、好適な光学性能を確保しやすくなる。
【００３７】
なお、条件式（５）に代わり、次の条件式（５−１）、（５−２）のいずれかを満足するように構成するとさらに好ましい。
−３．５＜（ｒ3lf＋ｒ3lb）／（ｒ3lf−ｒ3lb）＜１    ・・・（５−１）
−２．７＜（ｒ3lf＋ｒ3lb）／（ｒ3lf−ｒ3lb）＜０．６・・・（５−２）
また、条件式（５−１）の上限値又は下限値を、条件式（５）、（５−２）の上限値又は下限値としても良いし、条件式（５−２）の上限値又は下限値を、条件式（５）、（５−１）の上限値又は下限値としても良い。
【００３８】
また、本実施形態の対物レンズは、以下の条件式（６）を満足することが好ましい。
｜ΔＤＴn｜＜８                                    ・・・（６）
ただし、ΔＤＴは前記第２レンズ群が微小変動した時の歪曲収差の変動量である。
なお、微小変動とは像面を（Ｆナンバー×０．００５）ｍｍ変動させるために必要な前記第２レンズ群の光軸に沿った変動である。
【００３９】
この条件式（６）は、第２レンズ群、すなわち、可動レンズ群が移動して微小（（Ｆナンバー×０．００５）ｍｍ）に像面が変動した時の歪曲収差の変動量を表したものである。この条件式（６）の上限値を上回らないように構成すると、歪曲収差の変動量、すなわち、被写体観察時に観察画像の変動を小さく抑えやすい。
【００４０】
なお、条件式（６）に代わり、次の条件式（６−１）、（６−２）のいずれかを満足するように構成するとさらに好ましい。
｜ΔＤＴn｜＜６．５                            ・・・（６−１）
｜ΔＤＴn｜＜５                                ・・・（６−２）
【００４１】
また、本実施形態の対物レンズは、以下の条件式（７）を満足することが好ましい。
０．１５＜｜(１‐βc2・βc2)×βc3・βc3｜＜１．５    ・・・（７）
ただし、βc2は前記近接観察状態での前記第２レンズ群の横倍率、βc3は前記近接観察状態での前記第３レンズ群の横倍率である。
【００４２】
この条件式（７）は、近接観察状態において、第２レンズ群、すわなち、可動レンズ群が移動する際の像面の変動量を規定したものである。この条件式（７）の下限値を下回らないように構成すると、可動レンズ群の移動量に対する像面の変動量が小さくなりすぎず、その結果として、必要な移動量を小さく抑えることができるため、光学系全体を小型化しやすい。一方、上限値を上回らないように構成すると、可動レンズ群の移動量に対する像面の変動量が大きくなりすぎず、その結果として、像面湾曲の収差変動を小さく抑えることができる。
【００４３】
なお、条件式（７）に代わり、次の条件式（７−１）、（７−２）のいずれかを満足するように構成するとさらに好ましい。
０．２＜｜(１‐βc2・βc2)×βc3・βc3｜＜１．４    ・・・（７−１）
０．２５＜｜(１‐βc2・βc2)×βc3・βc3｜＜１．３  ・・・（７−２）
また、条件式（７−１）の上限値又は下限値を、条件式（７）、（７−２）の上限値又は下限値としても良いし、条件式（７−２）の上限値又は下限値を、条件式（７）、（７−１）の上限値又は下限値としても良い。
【００４４】
また、本実施形態の対物レンズは、前記第２レンズ群が、単一のレンズ成分により構成されていることが好ましい。
【００４５】
このように構成すると、対物レンズの構成を簡略化・軽量化しやすくなる。また、対物レンズの構成が簡単になるので、この対物レンズを組み込んだ観察装置の構成も簡略化・軽量化しやすくなる。なお、ここでレンズ成分とは、レンズ単体又は接合レンズのことをいう。
【００４６】
また、本実施形態の対物レンズは、前記第３レンズ群が、正のパワーを持つことを持つことが好ましい。
【００４７】
このような構成にすると、像面湾曲収差、非点収差、コマ収差の変動を抑えやすい。また、明るさ絞りを固定とすることに加えて、このような構成とすることにより、可動レンズ群である第２レンズ群の移動による光束の入射角の変化を抑えやすくなり、周辺光量の低下を防ぎやすくなる。
【００４８】
また、本実施形態の対物レンズは、前記第１レンズ群が、負のパワーを持ち、前記第２レンズ群が、負のパワーを持つことが好ましい。
【００４９】
本実施形態の対物レンズは、前記第１レンズ群が、負のパワーを持ち、前記第３レンズ群が正のパワーを持つ場合には、前記第２レンズ群が、負のパワーを持つことが好ましい。
このように構成すると、第１、２レンズ群を同じ負群で構成できるため、第１レンズ群で発生する収差を第２レンズ群が分担できるため像面湾曲収差、非点収差を制御しやすい。また、通常観察状態から近接観察状態への歪曲収差の変動を制御しやすい。
【００５０】
また、本実施形態の対物レンズは、前記第１レンズ群が、正のパワーを持ち、前記第２レンズ群が負のパワーを持つことが好ましい。
【００５１】
このように構成すると、２つの正レンズ群が対称的に配置されることになるため、正の第１レンズ群で発生する収差を正の第３レンズ群で補正することができ、倍率色収差、非点収差、歪曲収差を抑制しやすい。
【００５２】
また、本実施形態の対物レンズは、以下の条件式（８）を満足することが好ましい。
０．９＜Ｆｎｏn／Ｆｎｏc                          ・・・（８）
ただし、Ｆｎｏnは前記通常観察状態での全系のＦナンバー、Ｆｎｏcは前記近接観察状態での全系のＦナンバーである。
【００５３】
この条件式（８）を満足するように構成すると、対物レンズと高画素化された撮像素子とを組み合わせて使用しても、通常観察状態から近接観察状態までの各状態において十分な焦点深度を確保しやすい。これは、通常観察状態のＦナンバーが近接観察状態のＦナンバーとほぼ同じになるため、近接観察状態において回折の影響を受けないようにＦナンバーを小さくしても通常観察状態におけるＦナンバーを必要以上に小さくする必要がなくなるためである。
【００５４】
また、本実施形態の観察装置は、上記のいずれかの対物レンズと、前記第２レンズ群を移動させるオートフォーカス機構と、を備え、前記第２レンズ群によりフォーカシングを行うことを特徴とする。
【００５５】
なお、オートフォーカス機構とは、例えば、フォーカシングを行う可動レンズ群を光軸に沿って移動させる駆動機構と、所定の情報（対物レンズの像側に配置されたＣＣＤ等の撮像素子上に形成された画像情報や対物レンズの先端から観察対象までの距離情報等）に基づき、駆動機構を制御する制御手段と、により構成したものである。
【００５６】
以下に、本発明の対物レンズを備えた観察装置に係る実施例について図面を参照しながら説明する。
【００５７】
なお、光学系の光軸に沿う断面図のｒ1，ｒ2，・・・及びｄ1，ｄ2，・・・において下付き文字として示した数字は、数値データにおける面番号１，２，・・・に対応している。
【００５８】
また、数値データにおいては、ｓは面番号、ｒは各面の曲率半径、ｄは面間隔、ｎｄはｄ線における屈折率、νｄはｄ線におけるアッベ数をそれぞれ示している。また、各実施例の図において、明るさ絞りＳの位置を矢印で明示している。ここで、当該明るさ絞りＳの位置はレンズ面の位置と近接しているため、絞り径は実際の絞り径より大きく図示されている。しかしながら、実際の絞り径は各実施例に記載のＦナンバー等を用いて、当業者であれば適宜算出することが可能である。
【実施例１】
【００５９】
以下に、図１及び図２を用いて、実施例１に係る対物レンズを備えた観察装置について詳細に説明する。【００６０】
なお、図１は、この観察装置が備える光学系の構成及び移動方向を示す光軸に沿う断面図であり、（ａ）は通常観察状態、（ｂ）は中間観察状態、（ｃ）は近接観察状態を示す図である。図２は、図１に示した光学系の球面収差、非点収差、歪曲収差、倍率色収差を示す収差図であり、（ａ）は通常観察状態、（ｂ）は中間観察状態、（ｃ）は近接観察状態を示す図である。【００６１】
図１に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【００６２】
対物光学系ＯＬは、物体側から順に、負のパワーを持つ第１レンズ群Ｇ1と、正のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【００６３】
第１レンズ群Ｇ1は、物体側から順に、負のパワーを持ち像側に凹面を向けた平凹レンズであるレンズＬ11と、平レンズであるレンズＬ12と、正のパワーを持ち像側に凸面を向けたメニスカスレンズであるレンズＬ13とにより構成されている。【００６４】
第２レンズ群Ｇ2は、正のパワーを持つ両凸レンズであるレンズＬ21により構成されている。【００６５】
第３レンズ群Ｇ3は、物体側から順に、負のパワーを持つ両凹レンズであるレンズＬ31と、正のパワーを持つ両凸レンズであるレンズＬ32と、正のパワーを持ち像側に凹面を向けたメニスカスレンズであるレンズＬ33と、正のパワーを持つ両凸レンズであるレンズＬ34と、負のパワーを持ち像側に凸面を向けたメニスカスレンズであるレンズＬ35とにより構成されている。なお、レンズＬ31とレンズＬ32、レンズＬ34とレンズＬ35は接合されている。【００６６】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【００６７】
次に、この観察装置に備えられた光学系に係る数値データを示す。【００６８】
数値データ１
単位    ｍｍ
面データ
面番号          曲率半径   面間隔    屈折率   アッベ数
ｓ               ｒ        ｄ       ｎｄ      νｄ
1               ∞       0.36     1.88300    40.76
2               1.150    0.78
3               ∞       0.31     1.51400    73.43
4               ∞       0.45 
5              -3.219    0.54     1.81600    46.62 
6              -1.949    Ｄ６
7               1.633    0.74     1.58913    61.14 
8             -13.006    Ｄ８
9（絞り面）     ∞       0.03 
10              -1.186    0.44     1.59270    35.31 
11               0.800    0.43     1.48749    70.23 
12              -2.732    0.45
13               2.257    0.47     1.58913    61.14 
14              47.501    0.45
15               3.795    0.92     1.88300    40.76 
16              -2.335    0.30     1.92286    18.90 
17              -8.306    0.45
18               ∞       0.40     1.52300    58.50
19               ∞       0.50 
20（像面）       ∞【００６９】
対物光学系に係る各種データ
ズーム比：1.36
観察状態        通常観察    中間    近接観察
焦点距離           0.95     1.14      1.29
Ｆナンバー          8.34     8.16      8.00 
画角（２ω）       121.47    93.26     78.18
像高             0.80     0.80      0.80
レンズ全長（in air）     9.44     9.18      8.97
ＢＦ（in air）        1.16     0.90      0.69 【００７０】
面間隔
観察状態  通常観察    中間    近接観察
Ｄ６      1.16      0.79      0.54
Ｄ８      0.45      0.82      1.07【００７１】
レンズ群データ
群  始面  焦点距離
1    1    -3.87
2    7     2.51
3   10     2.25【００７２】
条件式に係るデータ
条件式（１）：１．２４＜｜Ｆ1f／Ｆn｜＜１．８：−１．３６８
条件式（２）：０．８＜｜Ｆ1f／Ｆc｜＜１．７：−１．００７
条件式（３）：０．７＜｜θc／θn｜＜１．５：１．００
条件式（４）：ωnP／ωnMax＜０．７：０．６５９
条件式（５）：−３＜（ｒ3lf＋ｒ3lb）／（ｒ3lf−ｒ3lb）＜２：−１．７８
条件式（６）：｜ΔＤＴn｜＜８：−４．５４３
条件式（７）：０．２＜｜(１‐βc2・βc2)×βc3・βc3｜＜１．２：０．４１１
条件式（８）：０．９＜Ｆｎｏn／Ｆｎｏc：１．０４
【実施例２】
【００７３】
以下に、図３及び図４を用いて、実施例２に係る対物レンズを備えた観察装置について詳細に説明する。【００７４】
なお、図３は、この観察装置が備える光学系の構成及び移動方向を示す光軸に沿う断面図であり、（ａ）は通常観察状態、（ｂ）は中間観察状態、（ｃ）は近接観察状態を示す図である。図４は、図３に示した光学系の球面収差、非点収差、歪曲収差、倍率色収差を示す収差図であり、（ａ）は通常観察状態、（ｂ）は中間観察状態、（ｃ）は近接観察状態を示す図である。【００７５】
図３に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【００７６】
対物光学系ＯＬは、物体側から順に、負のパワーを持つ第１レンズ群Ｇ1と、正のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【００７７】
第１レンズ群Ｇ1は、物体側から順に、負のパワーを持ち像側に凹面を向けた平凹レンズであるレンズＬ11と、平レンズであるレンズＬ12と、正のパワーを持ち像側に凸面を向けたメニスカスレンズであるレンズＬ13とにより構成されている。【００７８】
第２レンズ群Ｇ2は、正のパワーを持ち像側に凹面を向けたメニスカスレンズであるレンズＬ21により構成されている。【００７９】
第３レンズ群Ｇ3は、物体側から順に、負のパワーを持つ両凹レンズであるレンズＬ31と、正のパワーを持つ両凸レンズであるレンズＬ32と、正のパワーを持つ両凸レンズであるレンズＬ33と、正のパワーを持つ両凸レンズであるレンズＬ34と、負のパワーを持ち像側に凸面を向けたメニスカスレンズであるレンズＬ35とにより構成されている。なお、レンズＬ31とレンズＬ32、レンズＬ34とレンズＬ35は接合されている。【００８０】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【００８１】
次に、この観察装置に備えられた光学系に係る数値データを示す。【００８２】
数値データ２
単位    ｍｍ
面データ
面番号          曲率半径   面間隔    屈折率   アッベ数
ｓ               ｒ        ｄ       ｎｄ      νｄ
1               ∞       0.36     1.88300    40.76
2               1.200    0.83
3               ∞       0.31     1.51400    73.43
4               ∞       0.47 
5              -3.541    0.68     1.88300    40.76 
6              -2.056    Ｄ６
7               1.753    0.78     1.58913    61.14 
8              36.011    Ｄ８
9（絞り面）     ∞       0.03 
10              -1.383    0.52     1.58144    40.75 
11               0.900    0.44     1.48749    70.23 
12              -5.939    0.45
13               2.524    0.60     1.69680    55.53 
14              -5.573    0.45
15               6.380    0.79     1.88300    40.76 
16              -2.509    0.30     1.92286    18.90 
17             -10.370    0.45
18               ∞       0.40     1.52300    58.50
19               ∞       0.50 
20（像面）       ∞【００８３】
対物光学系に係る各種データ
ズーム比：1.40
観察状態        通常観察    中間    近接観察
焦点距離           0.95     1.15      1.33
Ｆナンバー          8.36     8.17      8.00 
画角（２ω）       120.05    92.40     77.32
像高             0.80     0.80      0.80
レンズ全長（in air）     9.92     9.66      9.43
ＢＦ（in air）        1.16     0.91      0.68 【００８４】
面間隔
観察状態  通常観察    中間    近接観察
Ｄ６      1.31      0.83      0.50
Ｄ８      0.45      0.93      1.26【００８５】
レンズ群データ
群  始面  焦点距離
1    1    -6.16
2    7     3.10
3   10     2.21【００８６】
条件式に係るデータ
条件式（１）：１．２４＜｜Ｆ1f／Ｆn｜＜１．８：−１．４２８
条件式（２）：０．８＜｜Ｆ1f／Ｆc｜＜１．７：−１．０２１
条件式（３）：０．７＜｜θc／θn｜＜１．５：１．００
条件式（４）：ωnP／ωnMax＜０．７：０．６６７
条件式（５）：−３＜（ｒ3lf＋ｒ3lb）／（ｒ3lf−ｒ3lb）＜２：−１．６３
条件式（６）：｜ΔＤＴn｜＜８：−３．７７９
条件式（７）：０．２＜｜(１‐βc2・βc2)×βc3・βc3｜＜１．２：０．３２１
条件式（８）：０．９＜Ｆｎｏn／Ｆｎｏc：１．０４
【実施例３】
【００８７】
以下に、図５及び図６を用いて、実施例３に係る対物レンズを備えた観察装置について詳細に説明する。【００８８】
なお、図５は、この観察装置が備える光学系の構成及び移動方向を示す光軸に沿う断面図であり、（ａ）は通常観察状態、（ｂ）は中間観察状態、（ｃ）は近接観察状態を示す図である。図６は、図５に示した光学系の球面収差、非点収差、歪曲収差、倍率色収差を示す収差図であり、（ａ）は通常観察状態、（ｂ）は中間観察状態、（ｃ）は近接観察状態を示す図である。【００８９】
図５に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【００９０】
対物光学系ＯＬは、物体側から順に、負のパワーを持つ第１レンズ群Ｇ1と、正のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【００９１】
第１レンズ群Ｇ1は、物体側から順に、負のパワーを持ち像側に凹面を向けた平凹レンズであるレンズＬ11と、平レンズであるレンズＬ12と、負のパワーを持ち像側に凸面を向けたメニスカスレンズであるレンズＬ13とにより構成されている。【００９２】
第２レンズ群Ｇ2は、物体側から順に、正のパワーを持つ両凸レンズであるレンズＬ21と、負のパワーを持ち像側に凸面を向けたメニスカスレンズであるレンズＬ22とにより構成されている。なお、レンズＬ21とレンズＬ22は接合されている。【００９３】
第３レンズ群Ｇ3は、物体側から順に、負のパワーを持つ両凹レンズであるレンズＬ31と、正のパワーを持つ両凸レンズであるレンズＬ32と、正のパワーを持つ両凸レンズであるレンズＬ33と、負のパワーを持ち像側に凸面を向けたメニスカスレンズであるレンズＬ34とにより構成されている。なお、レンズＬ33とレンズＬ34は接合されている。【００９４】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【００９５】
次に、この観察装置に備えられた光学系に係る数値データを示す。【００９６】
数値データ３
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.186    0.65 
3               ∞       0.31     1.51400    73.43
4               ∞       0.45 
5              -2.347    1.12     1.92286    18.90
6              -2.862    Ｄ６
7               2.437    0.86     1.80100    34.97
8              -1.065    0.30     1.92286    18.90
9              -3.061    Ｄ９
10（絞り面）     ∞       0.03 
11              -3.146    0.30     1.48749    70.23
12               1.331    1.23 
13               2.556    0.50     1.65160    58.55
14             -21.046    0.45 
15               2.200    1.23     1.58913    61.14
16              -1.800    0.30     1.92286    18.90
17              -9.377    0.45 
18               ∞       0.40     1.52300    58.50
19               ∞       0.50 
20（像面）       ∞【００９７】
対物光学系に係る各種データ
ズーム比：1.30
観察状態        通常観察    中間    近接観察
焦点距離           0.94     1.09      1.22
Ｆナンバー          8.40     8.18      8.00 
画角（２ω）       125.06    97.78     82.25
像高             0.80     0.80      0.80
レンズ全長（in air）    10.68    10.44     10.23
ＢＦ（in air）        1.16     0.92      0.72 【００９８】
面間隔
観察状態  通常観察    中間    近接観察
Ｄ６      0.98      0.69      0.45
Ｄ９      0.45      0.74      0.98【００９９】
レンズ群データ
群  始面  焦点距離
1    1    -1.67
2    7     2.10
3   11     3.44【０１００】
条件式に係るデータ
条件式（１）：１．２４＜｜Ｆ1f／Ｆn｜＜１．８：−１．４２７
条件式（２）：０．８＜｜Ｆ1f／Ｆc｜＜１．７：−１．１００
条件式（３）：０．７＜｜θc／θn｜＜１．５：１．００
条件式（４）：ωnP／ωnMax＜０．７：０．６４５
条件式（５）：−３＜（ｒ3lf＋ｒ3lb）／（ｒ3lf−ｒ3lb）＜２：−１．４７
条件式（６）：｜ΔＤＴn｜＜８：−５．２０５
条件式（７）：０．２＜｜(１‐βc2・βc2)×βc3・βc3｜＜１．２：０．３７３
条件式（８）：０．９＜Ｆｎｏn／Ｆｎｏc：１．０５
【実施例４】
【０１０１】
以下に、図７及び図８を用いて、実施例４に係る対物レンズを備えた観察装置について詳細に説明する。【０１０２】
なお、図７は、この観察装置が備える光学系の構成及び移動方向を示す光軸に沿う断面図であり、（ａ）は通常観察状態、（ｂ）は中間観察状態、（ｃ）は近接観察状態を示す図である。図８は、図７に示した光学系の球面収差、非点収差、歪曲収差、倍率色収差を示す収差図であり、（ａ）は通常観察状態、（ｂ）は中間観察状態、（ｃ）は近接観察状態を示す図である。【０１０３】
図７に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１０４】
対物光学系ＯＬは、物体側から順に、正のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０１０５】
第１レンズ群Ｇ1は、物体側から順に、負のパワーを持ち像側に凹面を向けた平凹レンズであるレンズＬ11と、平レンズであるレンズＬ12と、正のパワーを持ち像側に凸面を向けたメニスカスレンズであるレンズＬ13と、負のパワーを持ち像側に凹面を向けたメニスカスレンズであるレンズＬ14と、正のパワーを持つ両凸レンズであるレンズＬ15とにより構成されている。なお、レンズＬ14とレンズＬ15は接合されている。【０１０６】
第２レンズ群Ｇ2は、負のパワーを持ち像側に凹面を向けたメニスカスレンズであるであるレンズＬ21により構成されている。【０１０７】
第３レンズ群Ｇ3は、物体側から順に、正のパワーを持つ両凸レンズであるレンズＬ31と、正のパワーを持つ両凸レンズであるレンズＬ32と、負のパワーを持ち像側に凸面を向けたメニスカスレンズであるレンズＬ33とにより構成されている。なお、レンズＬ32とレンズＬ33は接合されている。【０１０８】
そして、この観察装置では、第２レンズ群Ｇ2を光軸に沿って像側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０１０９】
次に、この観察装置に備えられた光学系に係る数値データを示す。【０１１０】
数値データ４
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.102    1.02 
3               ∞       0.31     1.51400    73.43
4               ∞       0.70 
5              -3.585    1.23     1.74951    35.33
6              -2.641    0.45 
7               4.735    0.30     1.92286    18.90
8               2.496    0.65     1.88300    40.76
9              -9.184    Ｄ９
10               4.876    0.30     1.80400    46.57
11               1.681   Ｄ１１
12（絞り面）     ∞       0.48 
13               3.309    0.35     1.69680    55.53
14              -9.254    0.94 
15               2.751    1.07     1.48749    70.23
16              -2.743    0.70     1.92286    18.90
17             -10.460    0.72 
18               ∞       0.40     1.52300    58.50
19               ∞       0.50 
20（像面）       ∞【０１１１】
対物光学系に係る各種データ
ズーム比：1.26
観察状態        通常観察    中間    近接観察
焦点距離           0.95     1.12      1.20
Ｆナンバー          8.85     8.36      8.00 
画角（２ω）       123.11    88.85     76.64
像高             0.80     0.80      0.80
レンズ全長（in air）    12.18    11.93     11.74
ＢＦ（in air）        1.44     1.18      1.00 【０１１２】
面間隔
観察状態  通常観察    中間    近接観察
Ｄ９      0.45      1.09      1.43
Ｄ１１     1.43      0.79      0.45 【０１１３】
レンズ群データ
群  始面  焦点距離
1    1     1.56
2   10    -3.33
3   13     2.73【０１１４】
条件式に係るデータ
条件式（１）：１．２４＜｜Ｆ1f／Ｆn｜＜１．８：−１．３０９
条件式（２）：０．８＜｜Ｆ1f／Ｆc｜＜１．７：−１．０３７
条件式（３）：０．７＜｜θc／θn｜＜１．５：０．９９８
条件式（４）：ωnP／ωnMax＜０．７：０．６４９
条件式（５）：−３＜（ｒ3lf＋ｒ3lb）／（ｒ3lf−ｒ3lb）＜２：−１．７１
条件式（６）：｜ΔＤＴn｜＜８：−４．３５１
条件式（７）：０．２＜｜(１‐βc2・βc2)×βc3・βc3｜＜１．２：０．３８０
条件式（８）：０．９＜Ｆｎｏn／Ｆｎｏc：１．１０
【実施例５】
【０１１５】
以下に、図９及び図１０を用いて、実施例５に係る対物レンズを備えた観察装置について詳細に説明する。【０１１６】
なお、図９は、この観察装置が備える光学系の構成を示す光軸に沿う断面図であり、（ａ）は通常観察状態、（ｂ）は中間観察状態、（ｃ）は近接観察状態を示す図である。図１０は、図９に示した光学系の球面収差、非点収差、歪曲収差、倍率色収差を示す収差図であり、（ａ）は通常観察状態、（ｂ）は中間観察状態、（ｃ）は近接観察状態を示す図である。【０１１７】
図９に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１１８】
対物光学系ＯＬは、物体側から順に、負のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０１１９】
第１レンズ群Ｇ1は、物体側から順に、負のパワーを持ち像側に凹面を向けた平凹レンズであるレンズＬ11と、平レンズであるレンズＬ12により構成されている。【０１２０】
第２レンズ群Ｇ2は、負のパワーを持ち像側に凹面を向けたメニスカスレンズであるレンズＬ21により構成されている。【０１２１】
第３レンズ群Ｇ3は、物体側から順に、正のパワーを持つ両凸レンズであるレンズＬ31と、負のパワーを持ち像側に凹面を向けたメニスカスレンズであるレンズＬ32と、正のパワーを持つ両凸レンズであるレンズＬ33と、正のパワーを持つ両凸レンズであるレンズＬ34と、負のパワーを持つ両凹レンズであるレンズＬ35とにより構成されている。なお、レンズＬ32とレンズＬ33、レンズＬ34とレンズＬ35は接合されている。【０１２２】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０１２３】
次に、この観察装置に備えられた光学系に係る数値データを示す。【０１２４】
数値データ５
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.150    0.68 
3               ∞       0.31     1.51400    73.43
4               ∞       Ｄ４
5               1.575    0.30     1.92286    18.90
6               1.102    Ｄ６
7（絞り面）     ∞       0.03 
8               6.042    0.35     1.69895    30.13
9              -3.072    0.45 
10               5.578    0.30     1.92286    18.90
11               1.350    1.04     1.69895    30.13
12             -20.059    2.55 
13               1.438    0.98     1.48749    70.23
14              -6.190    0.30     1.92286    18.90
15               2.046    0.45 
16               ∞       0.40     1.52300    58.50
17               ∞       0.50 
18（像面）       ∞【０１２５】
対物光学系に係る各種データ
ズーム比：0.93
観察状態        通常観察    中間    近接観察
焦点距離           0.93     0.88      0.87
Ｆナンバー          8.51     8.10      8.00 
画角（２ω）       124.98   126.12    126.74
像高             0.80     0.80      0.80
レンズ全長（in air）    12.32    12.14     12.10
ＢＦ（in air）        1.16     0.99      0.96 【０１２６】
面間隔
観察状態  通常観察    中間    近接観察
Ｄ４      1.14      0.95      0.90
Ｄ６      2.37      2.56      2.61【０１２７】
レンズ群データ
群  始面  焦点距離
1    1    -1.30
2    5    -5.72
3    8     1.85【０１２８】
条件式に係るデータ
条件式（１）：１．２４＜｜Ｆ1f／Ｆn｜＜１．８：−１．３９６
条件式（２）：０．８＜｜Ｆ1f／Ｆc｜＜１．７：−１．５００
条件式（３）：０．７＜｜θc／θn｜＜１．５：０．９９８
条件式（４）：ωnP／ωnMax＜０．７：０．６５０
条件式（５）：−３＜（ｒ3lf＋ｒ3lb）／（ｒ3lf−ｒ3lb）＜２：０．５０３
条件式（６）：｜ΔＤＴn｜＜８：−０．６３２
条件式（７）：０．２＜｜(１‐βc2・βc2)×βc3・βc3｜＜１．２：０．９４８
条件式（８）：０．９＜Ｆｎｏn／Ｆｎｏc：１．０６
【実施例６】
【０１２９】
以下に、図１１及び図１２を用いて、実施例６に係る対物レンズを備えた観察装置について詳細に説明する。【０１３０】
なお、図１１は、この観察装置が備える光学系の構成を示す光軸に沿う断面図であり、（ａ）は通常観察状態、（ｂ）は中間観察状態、（ｃ）は近接観察状態を示す図である。図１２は、図１１に示した光学系の球面収差、非点収差、歪曲収差、倍率色収差を示す収差図であり、（ａ）は通常観察状態、（ｂ）は中間観察状態、（ｃ）は近接観察状態を示す図である。【０１３１】
図１１に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１３２】
対物光学系ＯＬは、物体側から順に、負のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第３レンズ群Ｇ3中に配置されている。【０１３３】
第１レンズ群Ｇ1は、物体側から順に、負のパワーを持ち像側に凹面を向けた平凹レンズであるレンズＬ11と、平レンズであるレンズＬ12とにより構成されている。【０１３４】
第２レンズ群Ｇ2は、負のパワーを持ち像側に凹面を向けたメニスカスレンズであるレンズＬ21により構成されている。【０１３５】
第３レンズ群Ｇ3は、物体側から順に、正のパワーを持つ両凸レンズであるレンズＬ31と、正のパワーを持つ両凸レンズであるレンズＬ32と、負のパワーを持ち像側に凹面を向けたメニスカスレンズであるレンズＬ33と、正のパワーを持つ両凸レンズであるレンズＬ34と、正のパワーを持つ両凸レンズであるレンズＬ35と、負のパワーを持つ両凹レンズであるレンズＬ36とにより構成されている。なお、レンズＬ33とレンズＬ34、レンズＬ35とレンズＬ36は接合されている。【０１３６】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０１３７】
次に、この観察装置に備えられた光学系に係る数値データを示す。【０１３８】
数値データ６
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.156    0.68 
3               ∞       0.31     1.51400    73.43
4               ∞       Ｄ４
5               3.324    0.30     1.92286    18.90
6               2.052    Ｄ６
7             181.427    0.37     1.58313    59.38
8             -11.991    0.45 
9（絞り面）     ∞       0.03 
10               3.405    0.34     1.69895    30.13
11             -13.877    0.53 
12               4.040    0.33     1.92286    18.90
13               1.261    0.41     1.69895    30.13
14            -106.024    2.65 
15               1.517    0.92     1.48749    70.23
16              -4.277    0.30     1.92286    18.90
17               2.561    0.46 
18               ∞       0.40     1.52300    58.50
19               ∞       0.50 
20（像面）       ∞【０１３９】
対物光学系に係る各種データ
ズーム比：0.94
観察状態        通常観察    中間    近接観察
焦点距離           0.92     0.88      0.86
Ｆナンバー          8.48     8.16      8.00 
画角（２ω）       126.22   126.58    126.62
像高             0.80     0.80      0.80
レンズ全長（in air）    12.31    12.18     12.11
ＢＦ（in air）        1.18     1.04      0.97 【０１４０】
面間隔
観察状態  通常観察    中間    近接観察
Ｄ４      1.21      1.02      0.90
Ｄ６      1.97      2.16      2.28【０１４１】
レンズ群データ
群  始面  焦点距離
1    1    -1.31
2    5    -6.55
3    7     2.04【０１４２】
条件式に係るデータ
条件式（１）：１．２４＜｜Ｆ1f／Ｆn｜＜１．８：−１．４２７
条件式（２）：０．８＜｜Ｆ1f／Ｆc｜＜１．７：−１．５２２
条件式（３）：０．７＜｜θc／θn｜＜１．５：０．９９８
条件式（４）：ωnP／ωnMax＜０．７：０．６５１
条件式（５）：−３＜（ｒ3lf＋ｒ3lb）／（ｒ3lf−ｒ3lb）＜２：０．２５０
条件式（６）：｜ΔＤＴn｜＜８：−１．１１３
条件式（７）：０．２＜｜(１‐βc2・βc2)×βc3・βc3｜＜１．２：０．６９３
条件式（８）：０．９＜Ｆｎｏn／Ｆｎｏc：１．０５
【実施例７】
【０１４３】
以下に、図１３及び図１４を用いて、実施例７に係る対物レンズを備えた観察装置について詳細に説明する。【０１４４】
なお、図１３は、この観察装置が備える光学系の構成を示す光軸に沿う断面図であり、（ａ）は通常観察状態、（ｂ）は中間観察状態、（ｃ）は近接観察状態を示す図である。図１４は、図１３に示した光学系の球面収差、非点収差、歪曲収差、倍率色収差を示す収差図であり、（ａ）は通常観察状態、（ｂ）は中間観察状態、（ｃ）は近接観察状態を示す図である。【０１４５】
図１４に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１４６】
対物光学系ＯＬは、物体側から順に、負のパワーを持つ第１レンズ群Ｇ1と、正のパワーを持ち変倍時に光軸に沿って移動可能である第２レンズ群Ｇ2と、正のパワーを持つ第３レンズ群Ｇ3とからなる。なお、明るさ絞りＳは、第３レンズ群Ｇ3中に配置されている。【０１４７】
第１レンズ群Ｇ1は、物体側から順に、負のパワーを持ち像側に凹面を向けた平凹レンズであるレンズＬ11と、平レンズであるレンズＬ12と、正のパワーを持ち像側に凸面を向けたメニスカスレンズであるレンズＬ13とにより構成されている。【０１４８】
第２レンズ群Ｇ2は、正のパワーを持つ両凸レンズであるレンズＬ21により構成されている。【０１４９】
第３レンズ群Ｇ3は、物体側から順に、負のパワーを持ち像側に凹面を向けたメニスカスレンズであるレンズＬ31と、負のパワーを持つ両凹レンズであるレンズＬ32と、正のパワーを持つ両凸レンズであるレンズＬ33と、正のパワーを持つ両凸レンズであるレンズＬ34と、正のパワーを持つ両凸レンズであるレンズＬ35と、負のパワーを持ち像側に凸面を向けたメニスカスレンズであるレンズＬ36とにより構成されている。なお、レンズＬ32とレンズＬ33、レンズＬ35とレンズＬ36は接合されている。【０１５０】
そして、この観察装置では、第２レンズ群Ｇ2を光軸に沿って物体側に移動させることによって、通常観察状態から近接観察状態へ観察状態を可逆的、且つ、連続的に変更させて、変更することができるようになっている。なお、この変倍時に、第１レンズ群Ｇ1と第３レンズ群Ｇ3と明るさ絞りＳは固定である。【０１５１】
次に、この観察装置に備えられた光学系に係る数値データを示す。【０１５２】
数値データ７
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.230    1.00 
3               ∞       0.31     1.51400    73.43
4               ∞       0.64 
5              -4.539    0.83     1.81600    46.62
6              -2.328    Ｄ６
7               2.832    0.57     1.58913    61.14
8             -13.345    Ｄ８
9               3.894    0.30     1.92286    18.90
10               3.265    0.11 
11（絞り面）     ∞       0.03 
12              -2.862    0.80     1.59270    35.31
13               1.100    0.50     1.48749    70.23
14              -5.306    1.47 
15               4.016    0.96     1.58913    61.14
16              -4.368    0.25 
17               4.818    1.09     1.88300    40.76
18              -2.669    0.30     1.92286    18.90
19             -27.226    0.43 
20               ∞       0.40     1.52300    58.50
21               ∞       0.50 
22（像面）       ∞【０１５３】
対物光学系に係る各種データ
ズーム比：1.55
観察状態        通常観察    中間    近接観察
焦点距離           0.93     1.18      1.44
Ｆナンバー          7.51     7.76      8.00 
画角（２ω）       124.67    92.77     76.42
像高             0.80     0.80      0.80
レンズ全長（in air）    12.24    11.98     11.72
ＢＦ（in air）        1.15     0.89      0.62 【０１５４】
面間隔
観察状態  通常観察    中間    近接観察
Ｄ６      1.35      0.67      0.20
Ｄ８      0.24      0.92      1.39【０１５５】
レンズ群データ
群  始面  焦点距離
1    1    -7.15
2    7     4.02
3    9     2.01【０１５６】
条件式に係るデータ
条件式（１）：１．２４＜｜Ｆ1f／Ｆn｜＜１．８：−１．４９９
条件式（２）：０．８＜｜Ｆ1f／Ｆc｜＜１．７：−０．９６５２
条件式（３）：０．７＜｜θc／θn｜＜１．５：１．００
条件式（４）：ωnP／ωnMax＜０．７：０．６５３３
条件式（５）：−３＜（ｒ3lf＋ｒ3lb）／（ｒ3lf−ｒ3lb）＜２：−１．２１
条件式（６）：｜ΔＤＴn｜＜８：−３．２１５
条件式（７）：０．２＜｜(１‐βc2・βc2)×βc3・βc3｜＜１．２：０．２０３
条件式（８）：０．９＜Ｆｎｏn／Ｆｎｏc：０．９３９
【実施例８】
【０１５７】
以下に、図１５及び図１６を用いて、実施例８に係る対物レンズを備えた観察装置について詳細に説明する。【０１５８】
なお、図１５は、この観察装置が備える光学系の構成を示す光軸に沿う断面図であり、（ａ）は通常観察状態、（ｂ）は中間観察状態、（ｃ）は近接観察状態を示す図である。図１６は、図１５に示した光学系の球面収差、非点収差、歪曲収差、倍率色収差を示す収差図であり、（ａ）は通常観察状態、（ｂ）は中間観察状態、（ｃ）は近接観察状態を示す図である。【０１５９】
図１５に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１６０】
対物光学系ＯＬは、物体側から順に、負のパワーを持つ第１レンズ群Ｇ1と、正のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０１６１】
第１レンズ群Ｇ1は、物体側から順に、負のパワーを持つ両凹レンズであるレンズＬ11と、平レンズであるレンズＬ12と、正のパワーを持ち像側に凸面を向けたメニスカスレンズであるレンズＬ13とにより構成されている。【０１６２】
第２レンズ群Ｇ2は、正のパワーを持つ両凸レンズであるレンズＬ21により構成されている。【０１６３】
第３レンズ群Ｇ3は、物体側から順に、負のパワーを持つ両凹レンズであるレンズＬ31と、正のパワーを持つ両凸レンズであるレンズＬ32と、正のパワーを持ち像側に凹面を向けたメニスカスレンズであるレンズＬ33と、正のパワーを持つ両凸レンズであるレンズＬ34と、負のパワーを持ち像側に凸面を向けたメニスカスレンズであるレンズＬ35とにより構成されている。なお、レンズＬ31とレンズＬ32、レンズＬ34とレンズＬ35は接合されている。【０１６４】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０１６５】
次に、この観察装置に備えられた光学系に係る数値データを示す。【０１６６】
数値データ８
単位    ｍｍ
面データ
面番号         曲率半径   面間隔    屈折率   アッベ数
ｓ              ｒ        ｄ       ｎｄ      νｄ
1              -8.111    0.36     1.88300    40.76
2               1.258    0.78 
3               ∞       0.31     1.51400    73.43
4               ∞       0.46 
5              -3.124    0.60     1.81600    46.62
6              -1.836    Ｄ６
7               1.719    0.55     1.58913    61.14
8            -114.439    Ｄ８
9（絞り面）     ∞       0.03 
10              -1.792    0.50     1.59270    35.31
11               0.744    0.94     1.48749    70.23
12              -2.973    0.45 
13               2.762    0.47     1.58913    61.14
14             138.170    0.45 
15               5.220    0.97     1.88300    40.76
16              -2.636    0.35     1.92286    18.90
17              -9.384    0.47 
18               ∞       0.40     1.52300    58.50
19               ∞       0.50 
20（像面）       ∞【０１６７】
対物光学系に係る各種データ
ズーム比：1.33
観察状態        通常観察    中間    近接観察
焦点距離           0.95     1.12      1.26
Ｆナンバー          8.20     8.09      8.00 
画角（２ω）       121.38    92.43     78.15
像高             0.80     0.80      0.80
レンズ全長（in air）    10.13     9.88      9.68
ＢＦ（in air）        1.18     0.93      0.72 【０１６８】
面間隔
観察状態  通常観察    中間    近接観察
Ｄ６      1.29      0.89      0.62
Ｄ８      0.45      0.85      1.12【０１６９】
レンズ群データ
群  始面  焦点距離
1    1    -4.70
2    7     2.88
3   10     2.39【０１７０】
条件式に係るデータ
条件式（１）：１．２４＜｜Ｆ1f／Ｆn｜＜１．８：−１．２７８
条件式（２）：０．８＜｜Ｆ1f／Ｆc｜＜１．７：−０．９６０８
条件式（３）：０．７＜｜θc／θn｜＜１．５：０．９９９
条件式（４）：ωnP／ωnMax＜０．７：−０．６６１
条件式（５）：−３＜（ｒ3lf＋ｒ3lb）／（ｒ3lf−ｒ3lb）＜２：−１．７８
条件式（６）：｜ΔＤＴn｜＜８：−３．９２７
条件式（７）：０．２＜｜(１‐βc2・βc2)×βc3・βc3｜＜１．２：０．３９９
条件式（８）：０．９＜Ｆｎｏn／Ｆｎｏc：１．０２
【実施例９】
【０１７１】
以下に、図１７及び図１８を用いて、実施例９に係る対物レンズを備えた観察装置について詳細に説明する。【０１７２】
なお、図１７は、この観察装置が備える光学系の構成及び移動方向を示す光軸に沿う断面図であり、（ａ）は通常観察状態、（ｂ）は中間観察状態、（ｃ）は近接観察状態を示す図である。図１８は、図１７に示した光学系の球面収差、非点収差、歪曲収差、倍率色収差を示す収差図であり、（ａ）は通常観察状態、（ｂ）は中間観察状態、（ｃ）は近接観察状態を示す図である。【０１７３】
図１７に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１７４】
対物光学系ＯＬは、物体側から順に、負のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０１７５】
第１レンズ群Ｇ1は、物体側から順に、像側に凹面を向けた平凹負レンズＬ11と、平レンズＬ12とにより構成されている。【０１７６】
第２レンズ群Ｇ2は、物体側から順に、像側に凸面を向けた負メニスカスレンズＬ21と、像側に凸面を向けた負メニスカスレンズＬ22とにより構成されている。なお、負メニスカスレンズＬ21と、負メニスカスレンズＬ22と、は接合されている。【０１７７】
第３レンズ群Ｇ3は、物体側から順に、物体側に凸面を向けた正メニスカスレンズＬ31と、物体側に凸面を向けた負メニスカスレンズＬ32と、両凸正レンズＬ33と、両凸正レンズＬ34と、両凹負レンズＬ35とにより構成されている。なお、負メニスカスレンズＬ32と、両凸正レンズＬ33と、は接合されている。また、両凸正レンズＬ34と、両凹負レンズＬ35と、は接合されている。【０１７８】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０１７９】
次に、この観察装置に備えられた光学系に係る数値データを示す。【０１８０】
数値データ
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.150    0.64 
3               ∞       0.31     1.51400    73.43
4               ∞       Ｄ４
5              -3.393    0.38     1.48749    70.23
6             -11.131    0.42     1.92286    18.90
7             -16.191    Ｄ７
8 （絞り面）     ∞      0.03
9               8.463    0.30     1.69895    30.13
10               9.477    0.45 
11               2.400    0.30     1.92286    18.90
12               1.155    1.80     1.69895    30.13
13              -3.708    2.19 
14               1.604    1.05     1.48749    70.23
15              -2.464    0.46     1.92286    18.90
16               3.441    0.50 
17               ∞       0.40     1.52300    58.50
18               ∞       0.50 
19 （像面）      ∞【０１８１】
対物光学系に係る各種データ
ズーム比：0.94
観察状態        通常観察    中間    近接観察
焦点距離          0.90      0.86      0.85
Ｆナンバー        8.40      8.14      8.00
画角（２ω）    127.27    127.46    126.81
像高            0.80      0.80      0.80
レンズ全長（in air）  12.27     12.13     12.06
ＢＦ（in air）       1.23      1.09      1.02 【０１８２】
面間隔
観察状態        通常観察    中間    近接観察
Ｄ４            1.04      0.68      0.45
Ｄ７            1.32      1.68      1.91【０１８３】
レンズ群データ
群  始面  焦点距離
1    1     -1.30
2    5     -8.14
3    8      2.11【０１８４】
条件式に係るデータ
条件式（１）：１．２４＜｜Ｆ1f／Ｆn｜＜１．８：−１．４５３
条件式（２）：０．８＜｜Ｆ1f／Ｆc｜＜１．７：−１．５３６
条件式（３）：０．７＜｜θc／θn｜＜１．５：０．９９９
条件式（４）：ωnP／ωnMax＜０．７：−０．６５６
条件式（５）：−３＜（ｒ3lf＋ｒ3lb）／（ｒ3lf−ｒ3lb）＜２：−０．１６５
条件式（６）：｜ΔＤＴn｜＜８：−１．８０２
条件式（７）：０．２＜｜(１‐βc2・βc2)×βc3・βc3｜＜１．２：０．３２８
条件式（８）：０．９＜Ｆｎｏn／Ｆｎｏc：１．０５１
【実施例１０】
【０１８５】
以下に、図１９及び図２０を用いて、実施例１０に係る対物レンズを備えた観察装置について詳細に説明する。【０１８６】
なお、図１９は、この観察装置が備える光学系の構成及び移動方向を示す光軸に沿う断面図であり、（ａ）は通常観察状態、（ｂ）は中間観察状態、（ｃ）は近接観察状態を示す図である。図２０は、図１９に示した光学系の球面収差、非点収差、歪曲収差、倍率色収差を示す収差図であり、（ａ）は通常観察状態、（ｂ）は中間観察状態、（ｃ）は近接観察状態を示す図である。【０１８７】
図１９に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０１８８】
対物光学系ＯＬは、物体側から順に、負のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０１８９】
第１レンズ群Ｇ1は、物体側から順に、像側に凹面を向けた平凹負レンズＬ11と、平レンズＬ12と、物体側に凸面を向けた正メニスカスレンズＬ13とにより構成されている。【０１９０】
第２レンズ群Ｇ2は、物体側から順に、物体側に凸面を向けた負メニスカスレンズＬ21と、物体側に凸面を向けた負メニスカスレンズＬ22とにより構成されている。なお、負メニスカスレンズＬ21と、負メニスカスレンズＬ22と、は接合されている。【０１９１】
第３レンズ群Ｇ3は、物体側から順に、両凸正レンズＬ31と、物体側に凸面を向けた負メニスカスレンズＬ32と、両凸正レンズＬ33と、両凸正レンズＬ34と、両凹負レンズＬ35とにより構成されている。負メニスカスレンズＬ32と、両凸正レンズＬ33と、は接合されている。また、両凸正レンズＬ34と、両凹負レンズＬ35と、は接合されている。【０１９２】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０１９３】
次に、この観察装置に備えられた光学系に係る数値データを示す。  
数値データ
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.170    0.72 
3               ∞       0.31     1.51400    73.43
4               ∞       0.45 
5               2.297    0.36     1.80400    46.57
6               3.138    Ｄ６
7              10.414    0.30     1.48749    70.23
8               3.897    0.03     1.92286    18.90
9               2.038    D9 
10  (絞り面)     ∞       0.03 
11               3.705    0.35     1.69895    30.13
12              -4.842    0.45 
13               3.989    0.30     1.92286    18.90
14               1.227    1.21     1.69895    30.13
15             -23.098    2.09 
16               1.565    0.94     1.48749    70.23
17              -3.191    0.30     1.92286    18.90
18               2.996    0.47 
19               ∞       0.40     1.52300    58.50
20               ∞       0.50
21  （像面）     ∞【０１９４】
対物光学系に係る各種データ
ズーム比：0.98
観察状態        通常観察    中間    近接観察
焦点距離          0.94      0.89      0.88
Ｆナンバー        8.48      8.10      8.00
画角（２ω）    124.86    126.27    126.75
像高            0.80      0.80      0.80
レンズ全長（in air）   12.31     12.15     12.11
ＢＦ（in air）      1.18      1.02      0.97【０１９５】
面間隔
観察状態         通常観察    中間    近接観察
Ｄ６             0.64      0.49      0.45
Ｄ９             2.03      2.18      2.22 【０１９６】
レンズ群データ
群  始面  焦点距離
1    1    -1.77
2    7    -3.57
3   10     1.85【０１９７】
条件式に係るデータ
条件式（１）：１．２４＜｜Ｆ1f／Ｆn｜＜１．８：−１．４０７
条件式（２）：０．８＜｜Ｆ1f／Ｆc｜＜１．７：−１．５１３
条件式（３）：０．７＜｜θc／θn｜＜１．５：０．９９９
条件式（４）：ωnP／ωnMax＜０．７：−０．６４６
条件式（５）：−３＜（ｒ3lf＋ｒ3lb）／（ｒ3lf−ｒ3lb）＜２：０．０３２
条件式（６）：｜ΔＤＴn｜＜８：−０．６９０
条件式（７）：０．２＜｜(１‐βc2・βc2)×βc3・βc3｜＜１．２：１．２２３
条件式（８）：０．９＜Ｆｎｏn／Ｆｎｏc：１．０６０
【実施例１１】
【０１９８】
以下に、図２１及び図２２を用いて、実施例１１に係る対物レンズを備えた観察装置について詳細に説明する。【０１９９】
なお、図２１は、この観察装置が備える光学系の構成及び移動方向を示す光軸に沿う断面図であり、（ａ）は通常観察状態、（ｂ）は中間観察状態、（ｃ）は近接観察状態を示す図である。図２２は、図２１に示した光学系の球面収差、非点収差、歪曲収差、倍率色収差を示す収差図であり、（ａ）は通常観察状態、（ｂ）は中間観察状態、（ｃ）は近接観察状態を示す図である。【０２００】
図２１に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０２０１】
対物光学系ＯＬは、物体側から順に、負のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０２０２】
第１レンズ群Ｇ1は、物体側から順に、像側に凹面を向けた平凹負レンズＬ11と、平レンズＬ12と、物体側に凸面を向けた正メニスカスレンズＬ13とにより構成されている。【０２０３】
第２レンズ群Ｇ2は、像側に凸面を向けた負メニスカスレンズＬ21により構成されている。【０２０４】
第３レンズ群Ｇ3は、物体側から順に、物体側に凸面を向けた負メニスカスレンズＬ31と、両凸正レンズＬ32と、両凸正レンズＬ33と、両凹負レンズＬ34とにより構成されている。なお、負メニスカスレンズＬ31と、両凸正レンズＬ32と、は接合されている。また、両凸正レンズＬ33と、両凹負レンズＬ34と、は接合されている。【０２０５】
そして、この観察装置では、第２レンズ群Ｇ2を光軸に沿って物体側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０２０６】
次に、この観察装置に備えられた光学系に係る数値データを示す。
数値データ
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.193    0.77 
3               ∞       0.31     1.51400    73.43
4               ∞       0.20 
5               2.098    0.34     1.88300    40.76
6               2.235    Ｄ６
7              -3.023    0.53     1.69895    30.13
8              -4.742    Ｄ８
9  (絞り面)     ∞       0.03 
10               2.565    0.30     1.92286    18.90
11               1.490    1.00     1.64769    33.79
12              -3.277    1.89 
13               1.660    0.94     1.48749    70.23
14              -2.547    0.75     1.92286    18.90
15               3.677    0.55 
16               ∞       0.40     1.52300    58.50
17               ∞       0.50 
18 （像面）                ∞【０２０７】
対物光学系に係る各種データ
ズーム比：0.94
観察状態        通常観察    中間    近接観察
焦点距離          0.94      0.90      0.88
Ｆナンバー        8.53      8.16      8.00
画角（２ω）    124.77    125.39    124.74
像高            0.80      0.80      0.80
レンズ全長（in air） 11.69     11.54     11.48
ＢＦ（in air）    1.26      1.12      1.05【０２０８】
面間隔
観察状態        通常観察    中間    近接観察
Ｄ６            1.87      1.26      0.93
Ｄ８            1.17      1.78      2.11【０２０９】
レンズ群データ
群  始面  焦点距離
1    1     -1.45
2    7    -13.65
3    9      2.11【０２１０】
条件式に係るデータ
条件式（１）：１．２４＜｜Ｆ1f／Ｆn｜＜１．８：−１．４３４
条件式（２）：０．８＜｜Ｆ1f／Ｆc｜＜１．７：−１．５４１
条件式（３）：０．７＜｜θc／θn｜＜１．５：０．９９９
条件式（４）：ωnP／ωnMax＜０．７：−０．６４６
条件式（５）：−３＜（ｒ3lf＋ｒ3lb）／（ｒ3lf−ｒ3lb）＜２：−０．１８２
条件式（６）：｜ΔＤＴn｜＜８：−２．００５
条件式（７）：０．２＜｜(１‐βc2・βc2)×βc3・βc3｜＜１．２：０．２０６
条件式（８）：０．９＜Ｆｎｏn／Ｆｎｏc：１．０６６
【実施例１２】
【０２１１】
以下に、図２３及び図２４を用いて、実施例１２に係る対物レンズを備えた観察装置について詳細に説明する。【０２１２】
なお、図２３は、この観察装置が備える光学系の構成を示す光軸に沿う断面図であり、（ａ）は通常観察状態、（ｂ）は中間観察状態、（ｃ）は近接観察状態を示す図である。
図２４は、図２３に示した光学系の球面収差、非点収差、歪曲収差、倍率色収差を示す収差図であり、（ａ）は通常観察状態、（ｂ）は中間観察状態、（ｃ）は近接観察状態を示す図である。【０２１３】
図２３に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０２１４】
対物光学系ＯＬは、物体側から順に、正のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第３レンズ群Ｇ3中に配置されている。【０２１５】
第１レンズ群Ｇ1は、像側に凹面を向けた平凹負レンズＬ11と、平レンズＬ12と、像側に凸面を向けた正メニスカスレンズＬ13と、両凸正レンズＬ14とにより構成されている。【０２１６】
第２レンズ群Ｇ2は、物体側に凸面を向けた負メニスカスレンズＬ21により構成されている。【０２１７】
第３レンズ群Ｇ3は、物体側から順に、両凸正レンズＬ31と、両凸正レンズＬ32と、像側に凸面を向けた負メニスカスレンズＬ33とにより構成されている。なお、両凸正レンズＬ32と、負メニスカスレンズＬ33と、は接合されている。【０２１８】
そして、この観察装置では、第２レンズ群Ｇ2を光軸に沿って像側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０２１９】
次に、この観察装置に備えられた光学系に係る数値データを示す。
数値データ
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.228    0.79 
3               ∞       0.31     1.51400    73.43
4               ∞       0.45 
5              -3.600    1.66     1.75500    52.32
6              -2.753    0.45 
7               3.617    0.55     1.88300    40.76
8             -72.464    Ｄ８
9               2.374    0.30     1.88300    40.76
10               1.323   Ｄ１０
11 (絞り面)       ∞      1.24
12               2.908    0.41     1.71999    50.23
13             -19.996    0.51 
14               3.136    0.68     1.48749    70.23
15              -4.487    1.00     1.92286    18.90
16              -9.899    0.72 
17               ∞       0.40      1.52300   58.50
18               ∞       0.50
19 （像面）      ∞【０２２０】
対物光学系に係る各種データ
ズーム比：1.38
観察状態        通常観察    中間    近接観察
焦点距離          0.95      1.18      1.31
Ｆナンバー        8.55      8.24      8.00
画角（２ω）    130.01     91.50     76.77
像高              0.80      0.80      0.80
レンズ全長（in air） 12.32     12.06     11.85
ＢＦ（in air）    1.45      1.18      0.97【０２２１】
面間隔
観察状態        通常観察    中間    近接観察
Ｄ８            0.45      1.25      1.72
Ｄ１０          1.72      0.92      0.45【０２２２】
レンズ群デ−タ
群       始面       焦点距離
1         1          1.84
2         9         -3.91
3        11          2.59【０２２３】
条件式に係るデータ
条件式（１）：１．２４＜｜Ｆ1f／Ｆn｜＜１．８：−１．４６０
条件式（２）：０．８＜｜Ｆ1f／Ｆc｜＜１．７：−１．０６５
条件式（３）：０．７＜｜θc／θn｜＜１．５：０．９９９
条件式（４）：ωnP／ωnMax＜０．７：−０．６１６
条件式（５）：−３＜（ｒ3lf＋ｒ3lb）／（ｒ3lf−ｒ3lb）＜２：−２．６５８
条件式（６）：｜ΔＤＴn｜＜８：−４．５４０
条件式（７）：０．２＜｜(１‐βc2・βc2)×βc3・βc3｜＜１．２：−０．２６７
条件式（８）：０．９＜Ｆｎｏn／Ｆｎｏc：１．０６９
【実施例１３】
【０２２４】
以下に、図２５及び図２６を用いて、実施例１３に係る対物レンズを備えた観察装置について詳細に説明する。【０２２５】
なお、図２５は、この観察装置が備える光学系の構成及び移動方向を示す光軸に沿う断面図であり、（ａ）は通常観察状態、（ｂ）は中間観察状態、（ｃ）は近接観察状態を示す図である。図２６は、図２５に示した光学系の球面収差、非点収差、歪曲収差、倍率色収差を示す収差図であり、（ａ）は通常観察状態、（ｂ）は中間観察状態、（ｃ）は近接観察状態を示す図である。【０２２６】
図２５に示すように、この観察装置は、対物光学系ＯＬとその対物光学系ＯＬの像側に配置された実質的には屈折力を有さない平レンズＰＬ光学系と、対物光学系ＯＬ中に配置された明るさ絞りＳと、撮像面ＩＭのみを示したＣＣＤ等の撮像素子とを備えている。なお、これらはすべて光軸Ｌｃ上に配置されている。【０２２７】
対物光学系ＯＬは、物体側から順に、正のパワーを持つ第１レンズ群Ｇ1と、負のパワーを持ち変倍時に光軸に沿って移動可能である第２レンズ群Ｇ2と、正のパワーを持つ第３レンズ群Ｇ3とからなる。なお、明るさ絞りＳは、第２レンズ群Ｇ2と第３レンズ群Ｇ3との間に配置されている。【０２２８】
第１レンズ群Ｇ1は、物体側から順に、像側に凹面を向けた平凹負レンズＬ11と、平レンズＬ12と、像側に凸面を向けた正メニスカスレンズＬ13と、両凸正レンズＬ14とにより構成されている。【０２２９】
第２レンズ群Ｇ2は、物体側から順に、物体側に凸面を向けた負メニスカスレンズＬ21と、物体側に凸面を向けた負メニスカスレンズＬ22とにより構成されている。なお、負メニスカスレンズＬ21と、負メニスカスレンズＬ22と、は接合されている。【０２３０】
第３レンズ群Ｇ3は、両凸正レンズＬ31と、両凸正レンズＬ32と、像側に凸面を向けた負メニスカスレンズＬ33とにより構成されている。なお、両凸正レンズＬ32と、負メニスカスレンズＬ33と、は接合されている。【０２３１】
そして、この観察装置では、第２レンズ群Ｇ2を光軸に沿って像側に移動させることによって、通常観察状態から近接観察状態へ観察状態を可逆的、且つ、連続的に変更させて、変倍を行うことができるようになっている。なお、この変倍時に、第１レンズ群Ｇ1と第３レンズ群Ｇ3と明るさ絞りＳは固定である。【０２３２】
次に、この観察装置に備えられた光学系に係る数値データを示す。【０２３３】
数値データ
単位    ｍｍ
面データ
面番号         曲率半径   面間隔    屈折率   アッベ数
ｓ              ｒ        ｄ       ｎｄ      νｄ
1               ∞       0.36     1.88300    40.76
2               1.192    0.89 
3               ∞       0.31     1.51400    73.43
4               ∞       0.57 
5              -3.897    1.80     1.72916    54.68
6              -2.754    0.45 
7               3.633    0.54     1.78800    47.37
8             -28.129    Ｄ８
9               6.980    0.30     1.92286    18.90
10               6.037    0.130    1.78590    44.20
11               1.758    Ｄ１１
12 (絞り面)       ∞      0.48
13               4.210    0.35     1.65160    58.55
14              -5.197    0.77 
15               2.728    0.84     1.51633    64.14
16              -3.507    0.74     1.84666    23.78
17             -14.269    0.90 
18               ∞       0.40      1.52300   58.50
19               ∞       0.50 
20 （像面）【０２３４】
対物光学系に係る各種データ
ズーム比：1.35
観察状態        通常観察    中間    近接観察
焦点距離          0.92      1.13      1.24
Ｆナンバー        8.86      8.38      8.00
画角（２ω）    131.22      88.88     74.24 
像高              0.80       0.80      0.80
レンズ全長（in air）12.33      12.08     11.88
ＢＦ（in air）    1.62       1.38      1.17【０２３５】
面間隔
観察状態      通常観察    中間    近接観察
Ｄ８           0.45      1.15      1.54
Ｄ１１         1.54      0.84      0.45 【０２３６】
レンズ群データ
群    始面    焦点距離
1      1       1.62 
2      9      -3.13
3     12       2.55【０２３７】
条件式に係るデータ
条件式（１）：１．２４＜｜Ｆ1f／Ｆn｜＜１．８：−１．４６７
条件式（２）：０．８＜｜Ｆ1f／Ｆc｜＜１．７：−１．０９２
条件式（３）：０．７＜｜θc／θn｜＜１．５：０．９９８
条件式（４）：ωnP／ωnMax＜０．７：−０．６２５
条件式（５）：−３＜（ｒ3lf＋ｒ3lb）／（ｒ3lf−ｒ3lb）＜２：−１．６５２
条件式（６）：｜ΔＤＴn｜＜８：−５．２６３
条件式（７）：０．２＜｜(１‐βc2・βc2)×βc3・βc3｜＜１．２：−０．３３７
条件式（８）：０．９＜Ｆｎｏn／Ｆｎｏc：１．１０７【０２３８】
なお、本発明の対物レンズを構成するレンズは、上記各実施例により示された形状に限定されるものではない。例えば、第１レンズ群の最も物体側のレンズが正のパワーを持つように構成しても構わない。【０２３９】
また、本発明の対物レンズを構成するレンズ群は、上記実施例により示された形状や枚数に限定されるものではない。【０２４０】
また、本発明の対物レンズは、上記実施例においては、各レンズ群内又は各レンズ群外に実質的に屈折力を有さないレンズを配置しているが（例えば、実施例１の第１レンズ群Ｇ1内に配置されているレンズＬ12や対物レンズＯＬの像側に配置されている平レンズＰＬ）、これらのレンズは必ずしも配置しなくてもよい。また、逆に、各レンズ群内又は各レンズ群外に、上記各実施例に図示されていないレンズであって、実質的に屈折力を有さないレンズを配置してもよい。例えば、対物レンズの像側に配置されている平レンズの像側にＣＣＤカバーガラス等を配置しても構わない。【０２４１】
さらに、本発明の対物レンズは、図２２に示すような内視鏡装置に用いても良い。なお、この内視鏡装置は、患者の体内へ挿入するための挿入部１と、内視鏡操作部２と、内部に光源ユニットと画像処理ユニットを備えた制御ユニット３と、制御ユニット３から出力された画像を表示するモニター４とからなる。そして、挿入部１は、その先端部１ａに、本発明の対物レンズを備えている。
【符号の説明】
【０２４２】
Ｇ1           第１レンズ群
Ｇ2           第２レンズ群
Ｇ3           第３レンズ群
ＩＭ          撮像面
Ｌｃ          光軸
Ｌ11，Ｌ12，Ｌ13，Ｌ14，Ｌ15，Ｌ21，Ｌ22，Ｌ31，Ｌ32，Ｌ33，Ｌ34，Ｌ35，Ｌ36          レンズ
ＯＬ          対物レンズ
ＰＬ          平レンズ
Ｓ            明るさ絞り
１            挿入部
１ａ          先端部
２            内視鏡操作部
３            制御ユニット
４            モニター
【図１】
2014088104.tif 000003
【図２】
2014088104.tif 000004
【図３】
2014088104.tif 000005
【図４】
2014088104.tif 000006
【図５】
2014088104.tif 000007
【図６】
2014088104.tif 000008
【図７】
2014088104.tif 000009
【図８】
2014088104.tif 000010
【図９】
2014088104.tif 000011
【図１０】
2014088104.tif 000012
【図１１】
2014088104.tif 000013
【図１２】
2014088104.tif 000014
【図１３】
2014088104.tif 000015
【図１４】
2014088104.tif 000016
【図１５】
2014088104.tif 000017
【図１６】
2014088104.tif 000018
【図１７】
2014088104.tif 000019
【図１８】
2014088104.tif 000020
【図１９】
2014088104.tif 000021
【図２０】
2014088104.tif 000022
【図２１】
2014088104.tif 000023
【図２２】
2014088104.tif 000024
【図２３】
2014088104.tif 000025
【図２４】
2014088104.tif 000026
【図２５】
2014088104.tif 000027
【図２６】
2014088104.tif 000028
【図２７】
2014088104.tif 000029
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
最も物体側のレンズが負のパワーを持ち拡大倍率が一番小さい状態である通常観察状態から拡大倍率が一番大きい状態である近接観察状態への変倍時に固定の第１レンズ群と、
前記第１レンズ群よりも像側に配置されていて前記変倍時に光軸に沿って移動する第２レンズ群と、
前記第２レンズ群よりも像側に配置されていて前記変倍時に固定の第３レンズ群と、
前記第２レンズ群と像面との間に配置されていて前記変倍時に固定の明るさ絞りと、
を備え、
前記第１レンズ群、第２レンズ群、第３レンズ群以外のレンズ群を含まず、
前記第１レンズ群が、負のパワーを持ち、
前記第２レンズ群が、負のパワーを持ち、
前記第３レンズ群が、正のパワーを持ち、
以下の条件式を満足することを特徴とする対物レンズ。
１．２４＜｜Ｆ１ｆ／Ｆｎ｜＜１．８
ただし、Ｆ１ｆは前記第１レンズ群の最も物体側に配置されたレンズの焦点距離、Ｆｎは前記通常観察状態での全系の焦点距離である。
【請求項２】
最も物体側のレンズが負のパワーを持ち拡大倍率が一番小さい状態である通常観察状態から拡大倍率が一番大きい状態である近接観察状態への変倍時に固定の第１レンズ群と、
前記第１レンズ群よりも像側に配置されていて前記変倍時に光軸に沿って移動する第２レンズ群と、
前記第２レンズ群よりも像側に配置されていて前記変倍時に固定の第３レンズ群と、
前記第２レンズ群と像面との間に配置されていて前記変倍時に固定の明るさ絞りと、
を備え、
前記第１レンズ群、第２レンズ群、第３レンズ群以外のレンズ群を含まず、
前記第１レンズ群が、正のパワーを持ち、
前記第２レンズ群が、負のパワーを持ち、
前記第３レンズ群が、正のパワーを持ち、
以下の条件式を満足することを特徴とする対物レンズ。
１．２４＜｜Ｆ１ｆ／Ｆｎ｜＜１．８
ただし、Ｆ１ｆは前記第１レンズ群の最も物体側に配置されたレンズの焦点距離、Ｆｎは前記通常観察状態での全系の焦点距離である。
【請求項３】
以下の条件式を満足することを特徴とする請求項１又は２に記載の対物レンズ。
０．８＜｜Ｆ１ｆ／Ｆｃ｜＜１．７
ただし、Ｆ１ｆは前記第１レンズ群の最も物体側に配置されたレンズの焦点距離、Ｆｃは前記近接観察状態での全系の焦点距離である。
【請求項４】
以下の条件式を満足することを特徴とする請求項１〜３のいずれか１項に記載の対物レンズ。
０．７＜｜θｃ／θｎ｜＜１．５
ただし、θｃは前記近接観察状態での前記像面への主光線の入射角度、θｎは前記通常観察状態での前記像面への主光線の入射角度である。
【請求項５】
以下の条件式を満足することを特徴とする請求項１〜４のいずれか１項に記載の対物レンズ。
ωｎＰ／ωｎＭａｘ＜０．８
ただし、ωｎＰは前記通常観察状態での近軸画角であり、ωｎＭａｘは前記通常観察状態での最大画角である。
なお、前記通常観察状態の近軸画角は、
Ｉｎ＝Ｆｎ×ｔａｎ（ωｎＰ）
であらわされる値であり、Ｉｎは前記通常観察状態での最大像面の高さ、Ｆｎは前記通常観察状態での焦点距離である。
【請求項６】
以下の条件式を満足することを特徴とする請求項１〜５のいずれか１項に記載の対物レンズ。
−４＜（ｒ３１ｆ＋ｒ３１ｂ）／（ｒ３１ｆ−ｒ３１ｂ）＜２
ただし、ｒ３１ｆは前記第３レンズ群の最も像側に配置されたレンズの物体側の面の曲率半径、ｒ３１ｂは前記第３レンズ群の最も像側に配置されたレンズの像側の面の曲率半径である。
【請求項７】
以下の条件式を満足することを特徴とする請求項１〜６のいずれか１項に記載の対物レンズ。
｜ΔＤＴｎ｜＜８
ただし、ΔＤＴｎは前記近接観察状態における前記第２レンズ群が微小変動した時の歪曲収差の変動量である。
なお、微小変動とは像面を±（Ｆナンバー×０．００５）ｍｍ変動させるために必要な前記第２レンズ群の光軸に沿った変動である。
【請求項８】
以下の条件式を満足することを特徴とする請求項１〜７のいずれか１項に記載の対物レンズ。
０．１５＜｜（１‐βｃ２・βｃ２）×βｃ３・βｃ３｜＜１．５
ただし、βｃ２は前記近接観察状態での前記第２レンズ群の横倍率、βｃ３は前記近接観察状態での前記第３レンズ群の横倍率である。
【請求項９】
前記第２レンズ群が、単一のレンズ成分により構成されていることを特徴とする請求項１〜８のいずれか１項に記載の対物レンズ。
【請求項１０】
最も物体側のレンズが負のパワーを持ち拡大倍率が一番小さい状態である通常観察状態から拡大倍率が一番大きい状態である近接観察状態への変倍時に固定の第１レンズ群と、
前記第１レンズ群よりも像側に配置されていて前記変倍時に光軸に沿って移動する第２レンズ群と、
前記第２レンズ群よりも像側に配置されていて前記変倍時に固定の第３レンズ群と、
前記第２レンズ群と像面との間に配置されていて前記変倍時に固定の明るさ絞りと、
を備え、
前記第１レンズ群、第２レンズ群、第３レンズ群以外のレンズ群を含まず、
前記第３レンズ群中の最も像側のレンズが負レンズであり物体側直前のレンズと接合され、
以下の条件式を満足することを特徴とする対物レンズ。
１．２４＜｜Ｆ１ｆ／Ｆｎ｜＜１．８
ただし、Ｆ１ｆは前記第１レンズ群の最も物体側に配置されたレンズの焦点距離、Ｆｎは前記通常観察状態での全系の焦点距離である。
【請求項１１】
最も物体側のレンズが負のパワーを持ち拡大倍率が一番小さい状態である通常観察状態から拡大倍率が一番大きい状態である近接観察状態への変倍時に固定の第１レンズ群と、
前記第１レンズ群よりも像側に配置されていて前記変倍時に光軸に沿って移動する第２レンズ群と、
前記第２レンズ群よりも像側に配置されていて前記変倍時に固定の第３レンズ群と、
前記第２レンズ群と像面との間に配置されていて前記変倍時に固定の明るさ絞りと、
を備え、
前記第１レンズ群、第２レンズ群、第３レンズ群以外のレンズ群を含まず、
前記第２レンズ群が負の屈折力を持ち、前記通常観察状態から前記近接観察状態への変倍時に像側に移動し、
以下の条件式を満足することを特徴とする対物レンズ。
１．２４＜｜Ｆ１ｆ／Ｆｎ｜＜１．８
ただし、Ｆ１ｆは前記第１レンズ群の最も物体側に配置されたレンズの焦点距離、Ｆｎは前記通常観察状態での全系の焦点距離である。
【請求項１２】
（削除）
【請求項１３】
（削除）
【手続補正書】
【提出日】平成27年2月6日(2015.2.6)
【手続補正１】
【補正対象書類名】明細書
【補正対象項目名】０００４
【補正方法】変更
【補正の内容】
【０００４】
【特許文献１】日本国特開２０１０−３２６８０号公報
【特許文献２】日本国特開平１１−３１６３３９号公報
【手続補正２】
【補正対象書類名】明細書
【補正対象項目名】０２４１
【補正方法】変更
【補正の内容】
【０２４１】
さらに、本発明の対物レンズは、図２７に示すような内視鏡装置に用いても良い。なお、この内視鏡装置は、患者の体内へ挿入するための挿入部１と、内視鏡操作部２と、内部に光源ユニットと画像処理ユニットを備えた制御ユニット３と、制御ユニット３から出力された画像を表示するモニター４とからなる。そして、挿入部１は、その先端部１ａに、本発明の対物レンズを備えている。
【国際調査報告】
2014088104.tif 000030
2014088104.tif 000031
2014088104.tif 000032
2014088104.tif 000033
2014088104.tif 000034
2014088104.tif 000035